(57)【要約】      （修正有）【課題】物品や商品等にこれらのデザイン変更のために張替え自在に貼り付け可能な着せ替えシートユニットを提供する。【解決手段】第１剥離シート上に第１粘着層を介して張り合わされた着せ替えシートを有する第１のシート材料と、第２剥離シート上に第２粘着層を介して張り合わされた透明の転写用シートを有する第２のシート材料と、を備え、第２剥離シートから剥離した転写用シートを、第１剥離シート上の着せ替えシート上に張り合わせ、これを剥離することで第１剥離シート上の着せ替えシートを転写用シート上に移動させ、この転写用シートを用いて着せ替えシートを被転着物に転写する。【選択図】図３
0003137378.tif 000002
【実用新案登録請求の範囲】
【請求項１】
第１剥離シート上に第１粘着層を介して張り合わされた着せ替えシートを有する第１のシート材料と、第２剥離シート上に第２粘着層を介して張り合わされた透明の転写用シートを有する第２のシート材料と、を備え、
第２剥離シートから剥離した転写用シートを、第１剥離シート上の着せ替えシート上に第２粘着層を介し張り合わせ、これを剥離することで第１剥離シート上の着せ替えシートを第２粘着層で転写用シート上に移動転着させ、この転写用シートを用いて着せ替えシートを被転着物に転写することを特徴とする着せ替えシートユニット。
【考案の詳細な説明】
【技術分野】
【０００１】
本考案は、携帯電話などの被転着物に着せ替えるように転着することにより、この被転着物の表面に新しいデザインを施す着せ替えシートユニットに関する。
【背景技術】
【０００２】
従来から、各種の物品や商品のデザイン性や宣伝効果等を高めるために、これらの表面に各種模様、色彩、絵柄、文字などを施したシールシートが貼着される場合が多々ある。また、シールシートを台や棚の上に貼り付けて、このシールシート上の滑り止め処理面に花瓶や置物を載せられるようにするものなども提案されている（例えば、特許文献１参照）。
【特許文献１】特開平９−２７７４１３号公報
【考案の開示】
【考案が解決しようとする課題】
【０００３】
しかしながら、従来のシールシートは、品物の略全表面のデザインや色彩を変えるものではなく、部分的に貼着するシートであるので、剥離紙より剥がして容易に貼着することができるが、品物の略全表面のデザインや色彩を、着せ替えシートで張り替えることは容易ではない課題がある。
また、かかる従来のシールシートは、物品や商品、あるいは棚や台の上に接着層を介して固定的に貼り付けられるため、物品や商品に表示されるデザイン変更のために、あるいは滑り止めが不要になった場合等に、このシールシートの張替えや剥離が不可能または困難になるという実用上の不都合があった。
【０００４】
本考案は前記のような従来の問題点に着目してなされたものであり、物品や商品等にこれらのデザイン変更のために着せ替え自在または張り替え自在に貼り付けることができる着せ替えシートユニットを得ることを目的とする。
【課題を解決するための手段】
【０００５】
前記目的達成のために、本考案にかかる着せ替えシートユニットは、第１剥離シート上に第１粘着層を介して張り合わされた着せ替えシートを有する第１のシート材料と、第２剥離シート上に第２粘着層を介して張り合わされた透明の転写用シートを有する第２のシート材料と、を備え、
第２剥離シートから剥離した転写用シートを、第１剥離シート上の着せ替えシート上に第２粘着層を介し張り合わせ、これを剥離することで第１剥離シート上の着せ替えシートを第２粘着層で転写用シート上に移動転着させ、この転写用シートを用いて着せ替えシートを被転着物に転写することを特徴とする。
【０００６】
この構成により、前記第２剥離シートから剥離した転写用シートを、前記第１剥離シート上の着せ替えシート上に第２粘着層を介して張り合わせた後、第１剥離シートから該転写用シートを剥離すると第１剥離シート上の着せ替えシートは、第２粘着層で透明の転写用シート上に移動転着して第１剥離シートから剥離される。そこで、この透明の転写用シートに移動して転着された着せ替えシートを、被転着物の所定位置に合わせて張り付けた後、前記転写用シートを第２粘着層とともに被転着物から分離すると、着せ替えシートは第１粘着層により被転着物に転写される。これにより被転着物に対する着せ替えシートの転写を、所定位置に正確にかつ簡単に実施することができる。従って、被転着物表面のデザインを簡単に新規なものに衣替えすることができる。
特に、着せ替えシートは、透明な転写用シートに移動転着し、これを用いて被転着物に転写するので、位置合わせは、透明な転写用シートを透視して確認でき、所定位置に正確に位置合わせして実施できる。
また、第１のシート材料と第２のシート材料を組み合わせて用いることで、新しいデザインを施した着せ替えシートを被転着物の表面に簡単かつ迅速に張り付けることができる。また、第１粘着層は被転着物に対し剥離可能であるため、転写用シートは、繰り返し被転着物に対し別の着せ替えシートに使用可能である。
なお、この考案で転写用シートを透明としているが、これは半透明でも実施可能であり、これも含むものとする。
【考案の効果】
【０００７】
この考案の着せ替えシートユニットによれば、次のような効果を奏する。
（１）被転着物に対する着せ替えシートの転写を、所定位置に正確にかつ簡単に実施することができる。
（２）着せ替えシートは、剥離シートより透明な転写用シートに転着させ、この透明な転写用シートを用いて着せ替えシートを被転着物に転写するので、位置合わせは透視して確認して行うことができ、被転着物の所定位置に正確かつ容易に合わせることができる。
（３）従って、被転着物表面、例えば、携帯電話表面、のデザインを簡単に新規なものに衣替えすることができる。
（４）物品や商品等の表面の所定位置に正確かつ剥離可能に着せ替え用シートを張り付けるだけで、これらの物品や商品に新しいデザインを簡単に施すことができる。
【考案を実施するための最良の形態】
【０００８】
以下に、本考案の実施形態による着せ替えシートユニットを、図面を参照して詳細に説明する。
図１は、本実施の形態による着せ替えシートユニットを構成する第１のシート材料Ａを示す断面図、図２は、着せ替えシートユニットを構成する第２のシート材料Ｂを示す断面図、図３は、着せ替えシートの転写手順（ａ）（ｂ）（ｃ）（ｄ）（ｅ）（ｆ）（ｇ）を示す説明図である。
【０００９】
第１のシート材料Ａは、着せ替えシート１と、この着せ替えシート１の片面に塗布された第１粘着層２と、この第１粘着層２を介して着せ替えシート１が貼着された第１剥離シート３とを有する。これらのうち着せ替えシート１は、紙、布、不織布、ビニールなどの合成樹脂材からなる１種の化粧用シートである。この化粧用シートである着せ替えシート１は被転着物に合わせた所定の形状およびサイズをなし、その表面には所定の模様、絵柄文字、色彩、透孔など施されている。
【００１０】
また、第１貼着層２は、例えばアクリル粘着材、ゴム系粘着材、シリコーン粘着材などからなり、これが着せ替えシート１の片面に均一の厚さで塗布されている。従って、この着せ替えシート１は第１粘着層２を介して後述の被転着物の表面に対し、張り合わせることができる。
一方、剥離シート３は、紙などのシート基材にポリエチレン、ポリエステル、グラシンなどの剥離材を塗布したものからなる。
【００１１】
第２のシート材料Ｂは、転写用シート４と、この転写用シート４の片面に塗布された第２粘着層５と、この第２粘着層５を介して転写用シート４に貼り合わされた第２剥離シート６とからなる。これらのうち、転写用シート４は比較的硬質の透明または半透明の合成樹脂フイルム（シート）からなり、好ましくは透明がよい。また、第２粘着層５は、前記同様のアクリル粘着材、ゴム系粘着材、シリコーン粘着材などからなる。
【００１２】
この第２粘着層５としては、第１粘着層２に比べて粘着力の弱いものが用いられる。また、第２剥離シート６は、前記同様に紙などのシート素材にポリエチレン、ポリエステル、グラシンなどの剥離材を塗布したものからなる。
【００１３】
次に、第１のシート材料Ａおよび第２のシート材料Ｂを用いて、本実施形態による着せ替えシート２を被転着物に転写する手順を、図３について説明する。
まず、図１および図２に示すような第１のシート材料Ａおよび第２のシート材料Ｂを用意する（図３（ａ）、（ｂ））。そして、第２のシート材料Ｂの転写用シート４を、転写用シート４に塗布された第２粘着層５と共に剥離シート６から剥離し、図３（ｃ）に示すような片面に第２粘着層５を有する転写用シート４の構造とする。転写用シート４を剥離した剥離シート６は廃棄する。
【００１４】
次に、このシート構造の転写用シート４を、第１のシート材料Ａの着せ替えシート１上に、第２粘着層５を介して、図３（ｄ）に示すように張り合わせる。そして、転写用シート４を、第１剥離シート３から剥離すると、図３（ｅ）に示すように着せ替えシート１は、転写用シート４の第２粘着層５により第１粘着層２と共に転写用シート４に移動して転着される。この時の着せ替えシート１の第１粘着層２は、外側表面の位置（図３（ｅ）では下面）となっている。これにより図３（ｅ）に示すような着せ替えシート１と転写用シート４が第２の粘着層５を介して一体とされたシート構造が得られる。剥離した第１剥離シート３は廃棄する。
【００１５】
そこで、図３（ｅ）に示すシート構造のシートを、被転着物７の表面に対し、図３（ｆ）に示すように、第１粘着層２を介して貼り合わせる。これにより着せ替えシート１は転写用シート４とともに被転着物７上に転着される。この場合に、転写用シート４は透明材からなるため、この転写用シート４を通して被転着物７に対する着せ替えシート１の貼着位置を確認（視認）することができる（正確に位置合わせすることができる）。
【００１６】
最後に、図３（ｇ）に示すように、転写用シート４を第２粘着層５とともに、着せ替えシート１の表面から剥離する。これにより第１粘着層２を介して移設（転写）された着せ替えシート１が、被転着物７の表面を被うこととなる。従って、着せ替えシート１の形状やその上に表示された模様、絵柄、色彩、文字などを、被転着物上の部品や絵柄などとともに、被転着物の上から看取することができる。
この結果、被転着物７に対し、この被転着物が本来持つデザインとは異なる新しいデザインを付与できる。
【００１７】
なお、このような着せ替えシートユニットは、被転着物７の上面のみでなく、下面、前面、背面、左側面、右側面などにも、前記同様にして貼付ける（着せ替える）ことができる。
【００１８】
図４乃至図７は、前記着せ替えシートユニットが携帯電話機に転写するものである場合を示す。着せ替えシート１が、図４は、２つ折りタイプの携帯電話機の一方の外表面に張り合わされるものを、図５は、同じく他方の外表面に張り合わされるものを、図６は、同じく一方の内表面に張り合わされるものを、図７は、同じく他方の内表面に張り合わされるものを、それぞれ示す。これは前記シート材料Ａの一例を示すもので、着せ替えシート１の例として携帯電話機に着せ替えする場合を示したもので、断面構造は、前記図１に示した通りである。シート材料Ｂは、前記したものであり、この構成は、シート材料Ａの着せ替えシート１が変わっても同じである。
【００１９】
図４に示す第１のシート材料１Ａの着せ替えシート１は、携帯電話機の一方の外表面に設けられた、日時や受信感度等の表示ディスプレイ相当部位を切り抜いた横長孔８が設けられている。図５に示す第１のシート材料１Ｂの着せ替えシート１は、携帯電話機の他方の外表面に設けられた、カメラレンズや夜間撮影用のフラッシュ窓相当部位を切り抜いた矩形孔９が設けられている。
【００２０】
図６に示す第１のシート材料１Ｃの着せ替えシート１は、携帯電話機の一方の内表面に設けられた、大型ディスプレイ相当部位を切り抜いた矩形孔１０が設けられている。また、  図７に示す第１のシート材料１Ｄの着せ替えシート１は、携帯電話機の他方の内表面に設けられた、テンキー、各種のモード選択キー相当部位を切り抜いた複数の矩形孔１１ａ、１１ｂ、１１ｃ  が設けられている。
【００２１】
これらのシート材料１Ａ〜１Ｄの着せ替えシート１はそれぞれ携帯電話機の外表面および内表面に貼り付けられて、これまでにない模様、色彩、絵柄、文字などを持つ新しいデザインを携帯電話機に付与することができる。従って、携帯電話機の一般ユーザは、メーカサイドによる新機種発売のたびに新しい携帯電話機を購入しなくても、前記シート材料の張合わせのみで、旧来の携帯電話機本体であるにも拘わらず新しいデザインを付与することができる。
【００２２】
このように、本実施形態では、着せ替えシート１を有する第１のシート材料Ａと、転写用シート４を有する第２のシート材料Ｂとを備えて、第２剥離シート６から第２粘着層５と共に剥離した転写用シート４を、第２粘着層５を介して第１剥離シート３上の着せ替えシート１上に貼り合わせた後に、該転写用シート４を第１剥離シート３から剥離すると、第２粘着層５により着せ替えシート１も転写用シート４に粘着されているため転写用シート４に移動して転着され、転写用シート４と共に第１剥離シート３から剥離され、この転写用シート４上の着せ替えシート１を被転着物７に第１粘着層２を介し貼り付け、転写用シート４を被転着物７上の着せ替えシート１から分離するように用いられる構成とした。
【００２３】
従って、物品や商品等を含む被転着物の表面に着せ替えシート１を張り付けるだけで、これらの物品や商品に新しい模様や、絵柄、色彩などを持つデザインを施すことができる。これにより被転着物に古さを感じさせないデザインが付与され、商品価値を再び高めることができる。
【産業上の利用可能性】
【００２４】
本考案は、物品や商品等の表面に剥離可能に着せ替え用シートを張り付けるだけで、これらの物品や商品に新しいデザインを簡単に施すことができるという効果を有し、携帯電話機などの被転着物の所定位置に着せ替えるように貼着するだけで、その被転着物に新しいデザインを施す着せ替えシートユニット等に有用である。
【図面の簡単な説明】
【００２５】
【図１】本考案の実施形態による着せ替えシートユニットを構成する第１のシート材料を示す断面図である。
【図２】本考案の実施形態による着せ替えシートユニットを構成する第２のシート材料を示す断面図である。
【図３】本考案の実施形態における着せ替えシートの被貼着物に対する転写手順（ａ）（ｂ）（ｃ）（ｄ）（ｅ）（ｆ）（ｇ）を示す説明図である。
【図４】本考案の実施形態における着せ替えシートの他の例を示す正面図である。
【図５】本考案の実施形態における着せ替えシートの他の例を示す正面図である。
【図６】本考案の実施形態における着せ替えシートの他の例を示す正面図である。
【図７】本考案の実施形態における着せ替えシートの他の例を示す正面図である。
【符号の説明】
【００２６】
Ａ  第１のシート材料
Ｂ  第２のシート材料
１、１Ａ、１Ｂ、１Ｃ、１Ｄ  着せ替えシート
２  第１粘着層
３  第１剥離シート
４  転写用シート
５  第２粘着層
６  第２剥離シート
７  被転着物
８  横長孔
【図１】
0003137378.tif 000003
【図２】
0003137378.tif 000004
【図３】
0003137378.tif 000005
【図４】
0003137378.tif 000006
【図５】
0003137378.tif 000007
【図６】
0003137378.tif 000008
【図７】
0003137378.tif 000009